(57)【要約】【課題】堅牢性・実用性の観点からの欠点を克服する取っ手を提供する。【解決手段】本発明は特に収納型取っ手に関するものであり、同取っ手は、少なくとも１つの貫通スロット（６０）を備えた支持部（５０）と、少なくとも１つの貫通スロット（６０）を通過するフレキシブルな握り（２０）であって少なくともその一部分が支持部（５０）の内面（５２）側にある少なくとも１つのガイドタブ（４０）と協働する少なくとも１つのストラップ環（３０）を備えた第１部分（２１）を伴うフレキシブルな握り（２０）と、少なくとも１つのストッパとを備え、握り（２０）は、少なくとも１つのストッパに対して握り（２０）の第１部分（２１）の少なくとも１つのストラップ環（３０）が接触する携行位置と、握り（２０）の第２部分（２２）が実質的に支持部（５０）の外面（５１）に沿って延びる収納位置との間でスライドするように構成される。本発明は更に、そのような取っ手を少なくとも１つ備えたバッグに関する。【選択図】図４b
2015013120.tif 000002
【特許請求の範囲】
【請求項１】
外面（５１）、内面（５２）及び少なくとも１つの貫通スロット（６０）を備える支持部（５０）と、
前記少なくとも１つの貫通スロット（６０）を通過すると共に、前記支持部（５０）の内面（５２）側にある第１部分（２１）と前記支持部（５０）の外面（５１）側にある第２部分（２２）とを備えるフレキシブルな握り（２０）であって、前記握り（２０）の前記第１部分（２１）は少なくとも１つのストラップ環（３０）を備える、フレキシブルな握り（２０）と、
少なくとも部分的に前記支持部（５０）の内面（５２）側に配置されると共に、前記握り（２０）の第１部分（２１）の前記少なくとも１つのストラップ環（３０）と協働する、少なくとも１つのガイドタブ（４０）と、少なくとも１つのストッパと、を備える収納型取っ手（１０）であって、
前記握り（２０）は、少なくとも２つの位置、即ち、
前記握り（２０）の第１部分（２１）の少なくとも１つのストラップ環（３０）が、前記少なくとも１つのストッパに接触する携行位置と、
前記握り（２０）の第２部分（２２）が実質的に前記支持部（５０）の外面（５１）に沿って延びる収納位置と、
のうちの一方を選択されるように構成され、
前記握り（２０）は、前記握り（２０）の前記第１部分（２１）の前記少なくとも１つのストラップ環（３０）が前記少なくとも１つのガイドタブ（４０）上をスライドすることにより、前記携行位置から前記収納位置に移行する、収納型取っ手（１０）。
【請求項２】
前記少なくとも１つのストッパの少なくとも一部分は、前記少なくとも１つのスロット（６０）より形成される、請求項１に記載の収納型取っ手（１０）。
【請求項３】
前記少なくとも１つのストッパの少なくとも一部分は、前記少なくとも１つのガイドタブ（４０）の突起（４３）より形成される、請求項１に記載の収納型取っ手（１０）。
【請求項４】
前記少なくとも１つのガイドタブ（４０）の前記突起（４３）は、前記少なくとも１つのスロット（６０）に近接して形成される、請求項３に記載の収納型取っ手（１０）。
【請求項５】
前記少なくとも１つのガイドタブ（４０）の少なくとも一部分（４５）は、前記少なくとも１つのストラップ環（３０）と協働し、前記支持部（５０）の少なくとも前記内面（５２）に対して平行である、請求項１から４の何れか一項に記載の収納型取っ手（１０）。
【請求項６】
前記握り（２０）、前記支持部（５０）及び前記少なくとも１つのガイドタブ（４０）のうちの少なくとも１つは、少なくとも部分的に皮革から作られる、請求項１から５の何れか一項に記載の収納型取っ手（１０）。
【請求項７】
前記支持部（５０）は、第１スロットを形成する前記少なくとも１つの貫通スロット（６０）と、第２貫通スロット（６０’）とを備え、
前記フレキシブルな握り（２０）は、前記第１スロット（６０）を通過する一方で第２スロット（６０’）をも通過し、さらに前記第１スロット（６０）の手前側において前記支持部（５０）の内面（５２）側にある第１部分（２１）と、前記第１スロット（６０）と前記第２スロット（６０’）との間にあって前記支持部（５０）の外面（５１）側にある第２部分（２２）と、前記第２スロット（６０’）の手前側において前記支持部（５０）の内面（５２）側にある第３部分（２１’）とを備え、前記握り（２０）の前記第１部分（２１）は第１ストラップ環（３０）を形成する前記少なくとも１つのストラップ環（３０）を備え、前記握り（２０）の前記第３部分（２１’）は第２ストラップ環（３０’）を形成する少なくとも１つのストラップ環（３０）を備え、
前記少なくとも１つのガイドタブ（４０）は少なくともその一部分が前記支持部（５０）の内面（５２）に配置され、少なくとも一部分が前記支持部（５０）の内面（５２）に配置される第１ガイドタブ（４０）及び第２ガイドタブ（４０’）を形成し、前記第１ガイドタブ（４０）は前記握り（２０）の第１部分（２１）の前記第１ストラップ環（３０）と協働し、前記第２ガイドタブ（４０’）は前記握り（２０）の第３部分（２１’）の前記第２ストラップ環（３０’）と協働し、
前記少なくとも１つのストッパは第１ストッパ及び第２ストッパを形成し、
前記握り（２０）は、少なくとも２つの位置、即ち、
前記握り（２０）の第１部分（２１）の第１ストラップ環（３０）が前記第１ストッパに接触すると共に、前記握り（２０）の第３部分（２１’）の第２ストラップ環（３０’）が前記第２ストッパに接触する携行位置と、前記握り（２０）の第２部分（２２）が実質的に前記支持部（５０）の外面（５１）に沿って延びる収納位置と、
のうちの一方を選択されるように構成され、
前記握り（２０）は、前記握り（２０）の第１部分（２１）の前記第１ストラップ環（３０）が前記第１ガイドタブ（４０）上を、前記握り（２０）の第３部分（２１’）の前記第２ストラップ環（３０’）が前記第２ガイドタブ（４０’）上を、共にスライドすることにより、前記携行位置から前記収納位置に移行する、請求項１から６の何れか一項に記載の収納型取っ手（１０）。
【請求項８】
請求項１から７の何れか一項に記載の収納型取っ手（１０）を少なくとも１つ備え、少なくとも部分的にフレキシブルなバッグ。
【請求項９】
請求項８に記載のバッグであって、前記少なくとも１つの収納型取っ手（１０）は、前記バッグの中身へのアクセスを可能にする開口部（７０）の第１の側部に位置される第１収納型取っ手（１０−１）を形成し、前記バッグは更に、前記開口部（７０）の第２の側部に位置される、請求項１から７の何れか一項に記載の第２収納型取っ手（１０−２）を少なくとも１つ備える、バッグ。
【請求項１０】
前記第１収納型取っ手（１０−１）及び前記第２収納型取っ手（１０−２）は夫々、前記開口部（７０）の端縁部（７２−１、７２−２）に対して平行である、請求項９に記載のバッグ。
【請求項１１】
更に、第３取っ手（１００−３）及び第４取っ手（１００−４）と呼ばれる、２つの追加取っ手（１００）を備える、請求項８から１０の何れか一項に記載のバッグ。
【請求項１２】
前記第１収納型取っ手（１０−１）は前記第３取っ手（１００−３）と前記開口部（７０）との間に位置し、前記第２収納型取っ手（１０−２）は前記第４取っ手（１００−４）と前記開口部（７０）との間に位置する、請求項９に従属する請求項１１に記載のバッグ。
【請求項１３】
前記第１収納型取っ手（１０−１）の握り（２０−１）及び前記第２収納型取っ手（１０−２）の握り（２０−２）は、前記第３取っ手（１００−３）の握り（２００−３）及び前記第４取っ手（１００−４）の握りの長さに等しいか又はそれより大きい長さを有する、請求項１２に記載のバッグ。
【請求項１４】
前記第１収納型取っ手（１０−１）の握り（２０−１）及び前記第２収納型取っ手（１０−２）の握り（２０−２）は、前記第３取っ手（１００−３）及び前記第４取っ手（１００−４）を使用してバッグが携行される状況では、前記収納位置に選択される、請求項１２又は１３に記載のバッグ。
【発明の詳細な説明】
【技術分野】
【０００１】
本出願発明は収納型取っ手に関する。
【０００２】
本発明は特に、皮革製品やラゲージからなる品物のための収納型取っ手に関する。これは、例えばソフトラゲージタイプの皮革製品であって、例えばバッグ、特にハンドバッグからなる品物である。
【背景技術】
【０００３】
皮革製品やラゲージなどの品物を使用する際には、視覚的及び／又は物理的に最小限の空間を占有するために、少なくとも１つの取っ手を収納できるようにすると都合の良い場合が往々にしてある。
【０００４】
取っ手にとっては、品物を支持したり、必要ならばその中身も支持したりするのに充分なほど頑丈であることが更に望ましい。
【０００５】
このような性質、皮革や繊維や同様の材料から作られる品物にとっては特に重要なことである。何故なら、例えば仮に破れたりした場合、往々にして修理不可能となったり、特に縫合修理跡が残ってしまうような場合には、美観上受け入れられないばかりか品物の堅牢性という点でも局部的に脆弱な部分を生んでしまい、結果としてより容易く新たな亀裂を生じてしまうからである。
【０００６】
現在、数多くの収納型取っ手が存在しているが、その中の１つを図１に示す。この取っ手１は、支持部５に固定されるストラップ環（例えば、ストラップ環４）内でのスライドに適した握り２を備える。握り２の各端部（例えば、端部３）は通常、槍の先端のような形をしており、握り２が携行位置にある時、即ち少なくともその一部に支持部５が含まれるような品物を運ぶ際にストッパとなっている。バッグ不使用時、握り２は、少なくともその一部が支持部５の面に沿って延びる収納位置を選択されることができる。
【発明の概要】
【発明が解決しようとする課題】
【０００７】
しかしながら、そのような取っ手は、特に堅牢性の観点から、また実用性という点でも欠点を有している。
【０００８】
本発明の目的は、上述した欠点の少なくとも一部を克服することにあり、更に別の長所を導くことにある。
【課題を解決するための手段】
【０００９】
この目的を達成するため、第１の態様によれば、外面、内面及び少なくとも１つの貫通スロットを備える支持部と、前記少なくとも１つの貫通スロットを通過すると共に、前記支持部の内面側にある第１部分と前記支持部の外面側にある第２部分とを備えるフレキシブルな握りであって、前記握りの前記第１部分は少なくとも１つのストラップ環を備える、フレキシブルな握りと、少なくとも部分的に前記支持部の内面側に配置されると共に、前記握りの第１部分の前記少なくとも１つのストラップ環と協働する、少なくとも１つのガイドタブと、
少なくとも１つのストッパとを備える収納型取っ手であって、
前記握りは、少なくとも２つの位置、即ち、前記握りの第１部分の少なくとも１つのストラップ環が、前記少なくとも１つのストッパに接触する携行位置と、前記握りの第２部分が実質的に前記支持部の外面に沿って延びる収納位置と、のうちの一方を選択されるように構成され、前記握りは、握りの第１部分の前記少なくとも１つのストラップ環が前記少なくとも１つのガイドタブ上をスライドすることにより、前記携行位置から前記収納位置に移行する、収納型取っ手が提案される。
【００１０】
したがって、そのような取っ手は堅牢性を維持しながらも容易にスライドすることに適している。そのような取っ手は更に、使用後、握りの一端部が端部で巻き上がるのを防ぐことができる。
【００１１】
ストッパがあることで、特に握りが携行位置にある時、ストラップ環に対して移動の終了を成すことが可能となる。そのようなストッパは更に、支持部の内面側に形成されることが好ましい。
【００１２】
ガイドタブは、例えば縫製、リベット、飾り鋲、或いは接着剤によって支持部に固定される。ガイドタブが堅い場合には、その両端の内の一方によって固定される可能性がある。ガイドタブがフレキシブルな場合、同タブはその両端部で固定されることが好ましい。
【００１３】
実施形態によれば、前記少なくとも１つのストッパは、少なくとも部分的に前記少なくとも１つのスロットによって形成される。
【００１４】
別実施形態によれば、前記少なくとも１つのストッパは、少なくとも部分的に、例えば二角帽の形状をした前記少なくとも１つのガイドタブの突起によって形成される。このようなストッパを設けることで、特にその取っ手の対象とする品物が非常に重い場合、ともするとスロットを引き裂いてしまうような恐れのあるスロットへの引っ張りを防止することができる。
【００１５】
特別な実施形態によれば、前記少なくとも１つのガイドタブの突起は前記少なくとも１つのスロットに近接して形成される。これによりスロットによって作られる如何なる間隙も閉じることができ、取っ手の外観を向上することができる。
【００１６】
例えば、前記少なくとも１つのガイドタブの少なくとも一部分は、前記少なくとも１つのストラップ環と協働し、支持部の少なくとも内面に対して平行である。
【００１７】
好ましくは、前記握り、前記支持部、及び前記少なくとも１つのガイドタブの内の少なくとも１つは、少なくともその一部が皮革によって作られる。
【００１８】
取っ手の他端は如何なる手段によって支持部に取り付けることが可能である。他端は固定しても、或いは任意の手段によりスライドするように構成しても良い。必要ならば、他端は、先に提示したものと同一の手段によってスライドするように構成されることが好ましい。それ故、本発明の有益な態様によれば、先に説明した各特徴と全て、或いはそれらの内の幾つかを有する収納型取っ手であって、前記支持部は、第１スロットを形成する前記少なくとも１つの貫通スロットと、第２貫通スロットとを備え、
前記フレキシブルな握りは、前記第１スロットを通過する一方で第２スロットをも通過し、さらに前記第１スロットの手前側において前記支持部の内面側にある第１部分と、前記第１スロットと前記第２スロットとの間にあって前記支持部の外面側にある第２部分と、前記第２スロットの手前側において前記支持部の内面側にある第３部分とを備え、前記握りの前記第１部分は第１ストラップ環を形成する前記少なくとも１つのストラップ環を備え、前記握りの前記第３部分は第２ストラップ環を形成する少なくとも１つのストラップ環を備え、前記少なくとも１つのガイドタブは、少なくともその一部分が前記支持部の内面に配置され、少なくとも一部分が前記支持部の内面に配置される第１ガイドタブ及び第２ガイドタブを形成し、前記第１ガイドタブは前記握りの第１部分の前記第１ストラップ環と協働し、前記第２ガイドタブは前記握りの第３部分の前記第２ストラップ環と協働し、
前記少なくとも１つのストッパは第１ストッパ及び第２ストッパを形成し、
前記握りは、少なくとも２つの位置、即ち、前記握りの第１部分の第１ストラップ環が前記第１ストッパに接触すると共に、前記握りの第３部分の第２ストラップ環が前記第２ストッパに接触する携行位置と、前記握りの第２部分が実質的に前記支持部の外面に沿って延びる収納位置と、のうちの一方を選択されるように構成され、
前記握りは、前記握りの第１部分の前記第１ストラップ環が前記第１ガイドタブ上を、前記握りの第３部分の前記第２ストラップ環が前記第２ガイドタブ上を、共にスライドすることにより、前記携行位置から前記収納位置に移行する、収納型取っ手が提案される。
【００１９】
本発明の別の態様によれば、前述した特徴の全て、又はその幾つかを有した収納型取っ手を少なくとも１つ備え、少なくとも一部分がフレキシブルであるバッグも提案される。
【００２０】
特定実施形態によれば、前記少なくとも１つの収納型取っ手は、バッグの中身へのアクセスを可能にする開口部の第１の側部に位置される第１収納型取っ手を形成し、そのバッグは更に、前述した特徴の全て又はその幾つかを有して開口部の第２の側部に位置される第２収納型取っ手を少なくとも１つ備える。
【００２１】
第１収納型取っ手及び第２収納型取っ手は、夫々が開口部の端縁部に対して平行であることが好ましい。そのような位置関係により、特にバッグ携行時、開口部を閉じるために各端縁部は互いに対して踏み留まるといったような、開口部端縁部の構造化を可能にする。
【００２２】
好ましい実施形態によれば、バッグは更に、第３取っ手及び第４取っ手と呼ばれる２つの追加取っ手を備える。これにより、必要に応じて異なった状態でバッグを携行できるような４つの取っ手をバッグに設けることが可能になる。
【００２３】
その際、収納型取っ手は“内取っ手”として知られる取っ手を構成すると共に、追加の取っ手は“外取っ手”として知られる取っ手を構成する。“内（の）”によってここで意味するものは、取っ手が別の取っ手とバッグの開口部との間に位置するということである（取っ手がバッグの内側に位置するという意味ではない）。バッグが（内の）取っ手によって携行される際には、内取っ手は高い位置にある取っ手であり、外取っ手は低い位置にある取っ手となる。
【００２４】
例えば、第１収納型取っ手は第３取っ手と開口部との間に位置し、第２収納型取っ手は第４取っ手と開口部との間に位置する。
【００２５】
好ましくは、（携行位置における）第１収納型取っ手の握り及び第２収納型取っ手の握りは、第３取っ手の握り及び第４取っ手の握りの長さに等しいか又はそれより大きい長さを有する。このようにして、携行位置では、そのような内取っ手の長さによって、特に“腕曲げフック”スタイルでの携行が可能となる。
【００２６】
特に有益な実施形態によれば、第１収納型取っ手の握りと第２収納型取っ手の握りは、バッグが第３取っ手と第４取っ手によって携行されている状態では収納位置が選択される。この位置において、収納型取っ手は例えば、開口部を閉じることに貢献し、バッグの携行の邪魔はしない。加えて、内取っ手が収納可能であるという事実は、審美的な配慮、即ち内取っ手でバッグを持たない場合のバッグ上部の優雅さにも対応している。
【００２７】
実施形態によれば、直説的かつ非限定的に添付図面を参照することを前提とし、以下の詳細な説明を読むことで、本発明がより理解されその利点がさらに明らかとなるであろう。
【図面の簡単な説明】
【００２８】
【図１】従来技術による収納型取っ手を示した図である。
【図２】本発明の実施形態による収納型取っ手の上面斜視図である。
【図３】図２に示した収納型取っ手の下面斜視図である。
【図４ａ】図２及び図３に示す収納型取っ手のスライドアクションの断面を示し、その握りが携行位置にある状態を示す図である。
【図４ｂ】図２及び図３に示す収納型取っ手のスライドアクションの断面を示し、その握りが携行位置にある状態を示す図である。
【図４ｃ】図２及び図３に示す収納型取っ手のスライドアクションの断面を示し、その握りが携行位置にある状態を示す図である。
【図５】本発明の第２実施形態の断面図である。
【図６】本発明の第３実施形態の断面図である。
【図７】図２から図４に示した本発明の実施形態による収納型取っ手によって形成された２つの外取っ手と２つの内取っ手から成る４つの取っ手を備えた、本発明の実施形態によるバッグの上部を示す図である。
【図８】図７に示したバッグの前方図である。
【図９】図７に示したバッグの前方図である。
【図１０】図７から図９に示したバッグの上面斜視図である。
【図１１】外取っ手を用いて携行位置にある、図７から図１０に示したバッグを示す図である。
【発明を実施するための形態】
【００２９】
図１から図１１までに示された同一要素は同一番号によって識別される。
【００３０】
ここで留意すべきことは、図２から図６は本発明による収納型取っ手の一端、例えば左端だけを示しているということである。他方の端部については、例えば固定されたものであるか、或いは任意システムを用いた収納型となる。その端部は特に、以下に説明する端部と同じものである可能性もある。
【００３１】
図２から図４を参照するに、本発明の実施形態による収納型取っ手１０は、支持部５０、握り２０、及びガイドタブ４０を備える。
【００３２】
支持部５０は外面５１、内面５２、及び握り２０が通過する貫通スロット６０を備える。スロット６０は握り２０の一部分を覆う舌部６１を形成するため、ここでは半月形状を有する。舌部は、スロット６０内での握り２０のスライドを容易にし、かつガイドすることを可能にすると共に、間隙の発生を防止して外観を向上する。
【００３３】
当然ながら“外（の）”と“内（の）”という用語は、以下の説明を容易ならしめるため、通常の使用に従って、ここでは慣例によって使用される。したがって、“外面”として記述される支持部の面は、通常、握られることを目的とする取っ手部分、即ち握りの中央部分が位置するような物品の側として方向付けされる。
【００３４】
ここではフレキシブルな握り２０は、支持部５０の内面５２側に位置する第１部分２１と、支持部５０の外面５１側に位置する第２部分２２とを備える。第２部分２２は少なくとも部分的に、握られることを目的とした取っ手部分を形成する。
【００３５】
握り２０の第１部分２１は、ここではガイドタブ４０を取り囲むストラップ環３０を備える。ストラップ環３０はここでは握り２０の第１部分２１の自由端に位置する。このストラップ環は特に、材料を節約すること、握り２０に長い移動を設けること、及び／又はストラップ環３０を超えて延びてしまうような握り２０の任意部分が端部で丸まってしまったり握り２０のスライドを邪魔したりするのを防止することを可能にする。図示した例によれば、ストラップ環３０は握り２０の第１部分２１よりも幅広である。更に、ストラップ環３０はスロット６０通過を防止するため、スロット６０よりも幅広であることが好ましい。
【００３６】
特定の実施形態によれば、握り２０はその両端に対し中央域に向けて、即ちその第２部分２２において拡大化される。そのような拡大化は人間工学上、改善をもたらすものである。このような改善は又、握り２０のスロット６０通過をチェックすることを可能にしたり、特に握りがその両端部の少なくとも一方によって、例えばガイドタブのような別の要素に取り付けられていない場合には握り２０がスロット６０を完全に通過できてしまうのを回避することを可能にする。
【００３７】
図示するように、ガイドタブ４０はここでは支持部５０の内面５２の側に配置される。本実施形態では、ガイドタブ４０はその第１端部４１と第２端部４２によって支持部５０の内面５２上に縫い付けられる。そのガイドタブの少なくとも一部は、例えばタブ自体に一定の堅牢性とフレキシビリティを与える皮革から製造される。別の実施形態としては、図示しないが、仮にガイドタブが例えば金属棒によって実現されるのであれば、単一の端部による固定で充分となるであろう。
【００３８】
したがって、ガイドタブ４０はここでは支持部５０の内面５２に対して実質上、平行である。支持部５０がピンと張ったものであったり平坦に配置された場合、ガイドタブは例えば支持部５０の内面５２に対して押し付けられる。
【００３９】
ガイドタブ４０はその２端部４１、４２間に少なくとも１つの部分４５を有する。この部分の幅はここでは一定であり、ストラップ環３０がタブ上を自由にスライドできるように、握り２０の第１部分２１にあるストラップ環３０と協働する。図示しないが、想定し得る別の実施形態によれば、ガイドタブ４０の前記部分４５を（その幅に関して）楕円形、又は（厚みに関して）ドーム型にすることで、実質上その中間部に向けて拡大化してチェック部を成し、握り２０を携行位置や収納位置に保持するのをアシストするようにしても良い。ここでは第２端部４２は、ストラップ環がガイドタブ４０の前記部分４５上をスライドする際にストラップ環３０の移動ストッパとして作用する二角帽形状の突起４３を有する。
【００４０】
更に、第２端部４２は、ここでは前記突起４３が少なくともスロット６０を内面５２側で覆うように、スロット６０近くで支持部５０の内面５２に縫い付けられる。これにより特に、スロット６０を一方の側からマスクすることができ、間隙が生じるのを回避することができる。この縫い付けはスロット６０に舌部６１があることによって補強される。
【００４１】
更に、突起４３はこのようにして、ガイドタブ４０上でのストラップ環３０の移動に関してスロット６０よりも上流側に位置することとなり、これによりストラップ環３０がスロット６０に突き当たって、これを引っ張り、スロットにダメージを与えたり裂いたりするようなことを回避することができる。しかるに、ここで説明し、特に図３に示した実施形態では、ガイドタブ４０の部分４５は突起４３から第１端部４１へと延びる。尚、第１端部４１は丸みを帯びた形か曲線状、或いはカットオフされた角部を伴う長方形であることが好ましい。同端部は他の形状を有することも可能である。
【００４２】
したがって、収納型取っ手１０はここでは突起４３によって形成されるストッパを備える。とは言っても、ストッパはこれらとは異なる形、例えばスロット６０のリムや何らかの追加要素によって形成される場合もある。そのストッパにより、握り２０が携行位置にある時、概ねストラップ環３０に対して移動に終点を成すことが可能となる。ストッパは支持部５０の内面５２側に形成されることが好ましい。
【００４３】
オプションとして、ここでは図示したように、ガイドタブ４０は支持部５０の端縁部５３に対して平行に位置決めされる。そのような配置により、特に端縁部５３を構造化することができる。
【００４４】
本発明の実施形態によれば、握り２０は少なくとも２つの位置、即ち、
握り２０の第１部分２１のストラップ環３０がストッパと接触する携行位置と、
握り２０の第２部分２２が実質的に支持部５０の外面５１に沿って延びる収納位置と、を選択されるよう構成され、握り２０の第１部分２１のストラップ環３０がガイドタブ４０上をスライドすることで、握り２０が携行位置から収納位置にと通過する。並行して、その際スロット６０内では握り２０のスライドが行われる。
【００４５】
ストラップ環３０とガイドタブ４０との協働により、特に、取っ手２０の端部が摩耗状態にあるガイドタブ両端部において巻き上がるのを防止することができる。取っ手は（少なくともタブ部分４５を介して）支持部５０の内面５２に追随するガイドタブ４０によってガイド（即ち、拘束）される。支持部５０の内面５２に追随するガイドタブ４０の部分４５は、取っ手２０の携行位置と収納位置との間で定められたストラップ環の移動距離に等しいか、或いはそれより大きい長さを持つことが好ましい。
【００４６】
これらの位置と一方から他方への経過を図４ａから図４ｃに示す。
【００４７】
図４ａは携行位置を示している。この位置では握り２０の第１部分２１のストラップ環３０は、ここではガイドタブ４０の突起４３によって形成されるストッパと接触状態にある。そのような突起４３はガイドタブ４０の端部４２で形成されるため、仮に携行物が非常に重い場合に、例えばスロットを引き裂くようなダメージを与えることになる、携行の際のスロット６０への引っ張りを防止することができる。
【００４８】
この位置では、握り２０の第１部分２１（即ち、支持部５０の内面側に位置する握り部分）は、特に突起４３によって形成されるストッパがスロット６０に極めて接近して位置するために非常に小さい。これにより、握り２０の第２部分２２が可能な限り長くなるように、ユーザーにための握り２０の長さを可能な限り最大にすることが可能となる。これは又、支持部５０を重さの影響下に置くというリスクを限定することも可能になる。即ち、そのようなガイドタブ４０の一端に位置する突起は、スロット６０を貫く間隙の発生を回避することに貢献しつつ握り２０に対し長い移動距離を与えることを可能にする。
【００４９】
図４ｂは、ストラップ環３０がガイドタブ４０、正確に言えば部分４５上をスライドしている瞬間に対応する中間位置を示している。これは、同時にスロット６０を通過して握り２０をスライドさせることにもなる。結果として、握り２０の第１部分２１は、握り２０の第２部分２２が小さくなるに伴って大きくなる。
【００５０】
そして図４ｃは収納型取っ手の収納位置を示している。この位置では、握り２０の第１部分２１のストラップ環３０とストッパ（ここでは、突起５３）とは、携行位置でのそれらの配置に対して、互いから離れている。この位置では、握り２０の第２部分２２は、出来るだけ遠くの見えないところに位置させるため、ここでは支持部５０の外面５１に対して圧迫された形で平坦な状態に置かれる。
【００５１】
ここではストラップ環３０の動作は、ガイドタブ４０の長さと位置に対する握り２０の長さによって、収納位置において制限される。
【００５２】
特定実施形態によれば、ストラップ環３０は、収納位置において、例えばガイドタブ４０の端部４１近くに形成されることになる別の突起からなる別のストッパに当接する。
【００５３】
図５及び図６は本発明のその他の好ましい実施形態を示している。簡略にするため、これまで説明したものと共通の要素については再度説明を行わず、同じ参照番号を付すこととする。
【００５４】
図５の実施形態は、ここではガイドタブ４０の第２端部４２が位置決め固定され、例えば支持部５０の外面５１に縫い付けられている点で異なっている。したがって、ここではガイドタブ４０はスロット６０を通過している。そして、ここではストッパはスロット６０の縁だけでなく、ガイドタブ４０の折り曲げ部４４によっても形成される。したがって本例によれば、支持部５０の内面５２に対して平行であってかつ支持部５０がピンと張られて平坦な状態になった時に支持部５０の内面５２に押し付けられるガイドタブ４０の部分４５は、第１端部４１と折り曲げ部４４との間からなるガイドタブ４０部分から形成される。ガイドタブ４０の部分４５はストラップ環３０のスライドを可能にするため、これまでと同様に一定幅を有し、握り２０の第１部分２１にあるストラップ環３０と協働する。加えて、ガイドタブ４０の部分４５は少なくともストラップ環３０の移動距離に等しい長さを有する。
【００５５】
図６の実施形態は、ここでは第１端部４１と第２端部４２とが支持部５０の外面５１上に、例えば縫われるなどして位置決め・固定されるという点で異なったものとなっている。したがって、ガイドタブ４０の第１端部４１は第２スロット６２を通り、ガイドタブ４０の第２端部４２は第３スロット６３を通る。とはいえ、特定の実施形態によってはガイドタブ４０の第２端部４２を通す第３スロット６３はスロット６０と統合することも可能である。
【００５６】
ここではストッパは又、スロット６０の縁によって形成される。支持部５０の内面５２に平行であってかつ、支持部５０がピンと張って平坦な状態に置かれた時に支持部５０の内面５２に対して押圧されるガイドタブ４０の部分４５は、本実施形態によれば、第２スロット６２から少なくともスロット６０まで延びるガイドタブ４０の部分によって形成されるか、或いは、第３スロット６３はここでは収納位置から携行位置までのストラップ環３０の移動方向においてスロット６０の後に位置することになるため、第２スロット６２から第３スロット６３まで延びるガイドタブ４０の一部分によって形成される。したがって、ガイドタブ４０の部分４５はストラップ環３０の移動長さよりも大きな長さを有し、好ましくは、握り２０の第１部分２１のストラップ環３０がタブ上を自由にスライドできるように一定幅を有する。
【００５７】
特に好ましい本発明の実施形態において、図２から図６に示されない収納型取っ手１０の他の部分は、前述したそれと同様となる。したがってその要素についてはここでは詳細には説明せず、対応する前述要素については同じ参照番号に“’”という追加表記を付して以下、説明する。
【００５８】
図７から図１１は、２つの同一端部を伴って例えば、前述したような収納型取っ手を備えたバッグの例を示している。より正確に言えば、同バッグは第１パネル７１−１上に１０−１の参照番号を付けた第１の収納型取っ手と、第２パネル７１−２上に１０−２の参照番号を付けた第２の収納型取っ手とを備える。このため、第２収納型取っ手１０−２はパネル７１−２の外面から見ることができ、第１収納型取っ手１０−１は、第２パネル７１−２の反対側で、スライドシステムを見せるバッグ開口部７０を通して第１パネル７１−１の内面から見ることができる。
【００５９】
本実施形態によれば、バッグは概してフレキシブルなものである。例として、ベースはフレキシブルでも、堅くても、反剛性を持つものでも良い。ベースは主として、第１パネル７１−１と第２パネル７１−２とから成り、それらは好ましくは同一であって、夫々、バッグ中身へのアクセスを可能にする開口部７０を画定する端縁部７２−１、７２−２を有する。
【００６０】
このため、第１収納型取っ手１０−１はバッグ中身へのアクセスを可能にする前記開口部７０の第１の側に位置し、第２収納型取っ手１０−２は開口部７０の第２の側に位置する。
【００６１】
明瞭化のため、第１収納型取っ手１０−１に関係した要素は、図２から図６に示した要素の説明に用いられたそれらのものと同じ参照番号に“−１”の添え字を付けて表示されており、第２収納型取っ手１０−２に関係した要素は、以前と同じ参照番号に“−２”の添え字を付けて表示される。以下、概して１つの要素に対し説明がなされる場合、当該要素が属する収納型取っ手にかかわらず、要素は添え字なしで参照される。
【００６２】
したがって、第１パネル７１−１は第１収納型取っ手１０−１の支持部５０−１を形成する。第１パネル７１−１は第１スロット６０−１と第２スロット６０’−１を備える。フレキシブルな握り２０−１は第１スロット６０−１を通過する一方、第２スロット６０’−１をも通過する。握りは、第１スロット６０−１の手前側において支持部５０−１の内面５２−１側に第１部分２１−１と、第１スロット６０−１と第２スロット６０’−１との間において支持部５０−１の外面５１−１側に第２部分２２−１と、第２スロット６０’−１の手前側において支持部５０−１の内面５２−１側に第３部分２１’−１とを備える。握り２０−１の第１部分２１−１は第１ストラップ環３０−１を備え、握り２０−１の第２部分２１’−１は第２ストラップ環３０’−１を備える。
【００６３】
第１ガイドタブ４０−１と第２ガイドタブ４０’−１は、少なくとも部分的に支持部５０−１の内面５２−１上に配置される。第１ガイドタブ４０−１は握り２０−１の第１部分２１−１の第１ストラップ環３０−１を通過し、第２ガイドタブ４０’−１は握り２０−１の第３部分２１’−１の第２ストラップ環３０’−１を通過する。
【００６４】
前述したように、第１収納型取っ手１０−１は、ここでは第１ガイドタブ４０−１の突起４３−１から形成される第１ストッパだけでなく、ここでは第２ガイドタブ４０’−１の突起４３’−１から形成される第２ストッパを備える。
【００６５】
このようにして握り２０−１は携行位置と収納位置のいずれか一方を選択されるように構成される。携行位置においては、握り２０−１の第１部分２１−１の第１ストラップ環３０−１は第１ストッパと接触すると共に、握り２０−１の第３部分２１’−１の第２ストラップ環３０’−１が第２ストッパと接触する。収納位置においては、握り２０−１の第２部分２２−１が実質上、支持部５０−１の外面５１−１に沿って延びる状態となる。
【００６６】
その時、握り２０−１が第１スロット６０−１と第２スロット６０’−１の中でスライドすると共に、握り２０−１の第１部分２１−１の第１ストラップ環３０−１が第１ガイドタブ４０−１上をスライドし、握り２０−１の第３部分２１’−１の第２ストラップ環３０’−１が第２ガイドタブ４０’−１上をスライドすることで、握り２０−１は携行位置から収納位置へと通過する。
【００６７】
第１収納型取っ手１０−１の第１ガイドタブ４０−１と第２ガイドタブ４０’−１は、握りがその携行位置から収納位置へと移った際に、握り２０−１が同じ長手軸線を保持するように、一方のガイドタブが他方のガイドタブからつながるように位置決めされることが好ましい。更に、それらのガイドタブはパネル７１−１の端縁部７２−１に対して平行になるように有利に配置されており、それにより開口部７０の端縁部７２−１の構造化を可能にしている。
【００６８】
ここでは、第２収納型取っ手１０−２は第１収納型取っ手１０−１と同一である（即ち、添え字“−１”を添え字“−２”で置き換えることで、後者の説明が収納型取っ手１０−２に適用される）。
【００６９】
収納型取っ手１０を開口部７０の各端縁部７２に平行に位置決めすることは、特に収納位置では、端縁部７２の構造化を可能にし、したがって開口部７０を閉じ位置に保持するのに貢献することができる。
【００７０】
本実施形態では、バッグは更に第３の追加取っ手１００−３と第４の追加取っ手１００−４とを備える。
【００７１】
第３追加取っ手１００−３は握り２００−３を備え、第４追加取っ手１００−４は握り２００−４を備える。追加取っ手１００は例えば図１に示したような標準的な取っ手とすることができる。しかしながら、追加取っ手は如何なる種類のものでも良く、特に本発明の実施形態による収納型取っ手に適合させ、それと同様なものでも、或いは異なるものでも良い。
【００７２】
ここでは追加取っ手１００の各々は、各パネル７１上で、収納型取っ手１０が追加取っ手１００と開口部７０の端縁部７２との間に位置するようにパネル７１上に配置される。
【００７３】
このようにして本実施形態によれば、収納型取っ手１０は内取っ手として知られる取っ手を成し、追加取っ手１００は外取っ手として知られる取っ手を成す。“内（の）”によってここで意味するものは、取っ手が別の取っ手とバッグの開口部との間に位置するということである（取っ手がバッグの内側に位置するという意味ではない）。図示されたバッグの形状を参照するに、バッグが内取っ手によって携行される際には、内取っ手は高い位置にある取っ手であり、外取っ手は低い位置にある取っ手となる。
【００７４】
内取っ手の握りの外部分の（携行位置での）長さは、特に人間工学的理由から外取っ手の握りの長さよりも大きいことが好ましい。即ち、そのような内取っ手の長さにより、特に“腕曲げフック”スタイルでの携行が可能となる。
【００７５】
図示されたバッグは、このようにして４つの取っ手、即ち２つの内取っ手と２つの外取っ手を備える。バッグは、内取っ手によってバッグが携行される際には大容積として知られるような容積を提供するためと、外取っ手によってバッグが携行される際には小容積として知られる容積を提供するため、このように構成される。即ち、バッグの容積は必要に応じて調整可能である。
【００７６】
バッグがかなり満杯の状態で、往々にして更に重量が加わる程、利用可能な大容積を必要とする場合には、より大きな応力に対抗できることから内取っ手（収納型取っ手１０）を使用することが可能である。
【００７７】
図８及び図９は、図７を参照して説明したバッグであって、携行位置にある収納型取っ手１０である内取っ手によって携行されるように構成されたバッグを示している。その際の追加取っ手１００は、出っ張りを出来るだけ小さく抑えるべく収納されることが好ましい。
【００７８】
図１０は、図７を参照して説明したバッグの斜視上面図であって、ここでは収納型取っ手１０である内取っ手を使用する携行位置と、ここでは追加取っ手１００である外取っ手を使用する携行位置との間の中間位置にある状態を示している。尚、後者の携行位置では、収納型取っ手１０は収納位置にあることが好ましい。
【００７９】
図１１は、図７を参照して説明したバッグの、外取っ手を用いて携行される状態を示している。この時、内取っ手（好ましくは、収納型取っ手１０）は収納されている。バッグのこの状態では、内取っ手は、例えば開口部７０の閉じに更に貢献しており、バッグの携行に邪魔となることはない。加えて、内取っ手が収納可能であるという事実は、審美的な配慮、即ち内取っ手でバッグを持たない場合のバッグ上部の優雅さにも対応している。
【００８０】
この位置ではバッグのパネル７１は湾曲しており、その際には外取っ手が最高点を形成する。
【００８１】
尚、前述した例は内取っ手を引用しており、それが本発明の実施形態による収納型取っ手となっているが、他の種類の取っ手も使用可能であることに留意されたい。
【００８２】
特定の実施形態によれば、例えば前述したようなバッグは少なくともその一部分が皮革、模造皮革、繊維、又はその他のフレキシブル材料から作られるか、或いはそのような材料同士を組み合わせたものから作られる。
【００８３】
オプションとして、バッグは更に、バッグを携行する別のオプションを提供する肩ストラップ８０を備える。
【００８４】
当然ながら、本発明は以上の説明や添付図面のどちらにも限定されず、特に特定の要求を満足するために当業者の範囲内で如何なる変形例に対しても展開するものである。
【図１】
2015013120.tif 000003
【図２】
2015013120.tif 000004
【図３】
2015013120.tif 000005
【図４ａ】
2015013120.tif 000006
【図４ｂ】
2015013120.tif 000007
【図４ｃ】
2015013120.tif 000008
【図５】
2015013120.tif 000009
【図６】
2015013120.tif 000010
【図７】
2015013120.tif 000011
【図８】
2015013120.tif 000012
【図９】
2015013120.tif 000013
【図１０】
2015013120.tif 000014
【図１１】
2015013120.tif 000015
【外国語明細書】
2015013120000001.pdf